(57)【要約】【課題】事業施設の駐車場において、受電電力の使用量が上限量を越えることを抑制しつつ、充電用端末による車両の充電を行うことが可能な事業施設用の車両充電システム及び充電制御装置を提供する。【解決手段】車両充電システム1は、充電余力有りの場合には充電開始要求時刻に充電用端末１２による充電を開始し、且つ、当該充電が完了する時刻を変化情報に基づき推定しその充電完了推定時刻に応じた報知動作を行い、充電余力無しの場合には充電余力有りになるまで充電用端末１２による充電を待機するよう継電器１７を制御する。【選択図】図５
2010187452.tif 000002
【特許請求の範囲】
【請求項１】
電力会社からの受電電力を変圧する変圧器を所有する事業施設の駐車場に駐車された車両を、前記受電電力を使用して充電するための事業施設用の車両充電システムであって、
充電用端末と、
前記充電用端末と電力供給線によって接続され、前記変圧器から前記充電用端末への電力供給を制御する継電器と、
利用者による前記充電用端末の充電開始要求を受け付ける受付部と、
前記受電電力の使用量を検出する電力検出部と、
前記充電開始要求に基づく充電開始要求時刻において、前記受電電力の前記使用量に前記充電用端末での充電電力の必要量を加えた合算量が、前記変圧器の変圧容量に応じた上限量以下である充電余力有りか否かを判断する余力判断部と、
前記充電用端末を除く一般負荷の電力の使用量についての時間経過に伴う変化情報が記憶される記憶部と、
前記充電開始要求に基づく充電開始要求時刻において、前記充電余力有りの場合には、前記充電開始要求時刻に前記充電用端末による充電を開始し、且つ、当該充電が完了する時刻を前記変化情報に基づき推定しその充電完了推定時刻に応じた報知動作を行い、前記充電余力無しの場合には前記充電余力有りになるまで前記充電用端末による充電を待機するよう前記継電器を制御する制御部と、を備える事業施設用の車両充電システム。
【請求項２】
請求項１に記載の事業施設用の車両充電システムであって、
前記制御部は、前記充電余力有りの場合に、前記充電用端末による充電を中断し待機させるべき充電中断推定時刻を前記変化情報に基づき推定し、その充電中断推定時刻に前記充電用端末による充電を中断する、事業施設用の車両充電システム。
【請求項３】
請求項１または請求項２に記載の事業施設用の車両充電システムであって、
前記充電用端末を複数有し、
前記受付部は利用者による充電完了要求時刻を前記充電用端末ごとに受付可能とされ、
前記制御部は、前記受付部で一の充電用端末に対する充電開始要求が受け付けられ、且つ、前記充電余力無しの場合において、当該一の充電用端末よりも前記充電完了要求時刻が遅い充電中の他の充電用端末が有れば、当該他の充電用端末による充電を待機させて当該一の充電用端末による充電を開始する、事業施設用の車両充電システム。
【請求項４】
請求項３に記載の事業施設用の車両充電システムであって、
前記制御部は、前記一の充電用端末と前記他の充電用端末とで前記充電完了要求時刻が一致する場合において、前記受付部での前記充電開始要求の受付順位が、前記一の充電用端末よりも前記他の充電用端末の方が遅ければ前記他の充電用端末を待機させて前記一の充電用端末による充電を開始する、事業施設用の車両充電システム。
【請求項５】
請求項１から請求項４のいずれか一項に記載の事業施設用の充電システムにおいて、
前記受付部は、電力料金の割引時間帯内の時刻を前記充電開始要求時刻として指定する充電開始要求を受付可能とされている、事業施設用の車両充電システム。
【請求項６】
請求項１から請求項５のいずれか一項に記載の事業施設用の充電システムにおいて、
前記受付部は利用者による充電完了要求時刻を受付可能とされ、
前記充電用端末による充電が、前記充電完了要求時刻までに完了しない充電遅延になるか否かを判断する遅延判断部と、
前記遅延判断部にて前記充電遅延になると判断された場合に当該充電遅延を利用者に通知する通知部と、を備える、事業施設用の車両充電システム。
【請求項７】
充電用端末と電力供給線によって接続され、事業者が保有する変圧器から前記充電用端末への電力供給を制御する継電器と、
利用者による前記充電用端末の充電開始要求を受け付ける受付部と、
前記受電電力の使用量に前記充電用端末での充電電力の必要量を加えた合算量が、前記変圧器の変圧容量以下である充電余力有りか否かを判断する余力判断部と、
前記充電用端末以外の一般負荷の電力の使用量についての時間経過に伴う変化情報が記憶される記憶部と、
前記充電開始要求に基づく充電開始要求時刻において、前記充電余力有りの場合には、前記充電開始要求時刻に前記充電用端末による充電を開始し、且つ、当該充電が完了する時刻を前記変化情報に基づき推定しその充電完了推定時刻に応じた報知動作を行い、前記充電余力無しの場合には前記充電余力有りになるまで前記充電用端末による充電を待機するよう前記継電器を制御する制御部と、を備える事業施設用の充電制御装置。
【発明の詳細な説明】
【技術分野】
【０００１】
本発明は、高圧受電（高圧契約）による変圧器を有する事業施設の駐車場に駐車された車両のバッテリを充電するための事業施設用の車両充電システム及び充電制御装置に関する。
【背景技術】
【０００２】
電気自動車（ＥＶ）やプラグインハイブリッド車（ＰＨＶ）の普及のためには、充電設備を備えた駐車場の整備が不可欠といわれている。そして、従来から、店舗の駐車場に設置され、駐車中に電気自動車を充電できるとともに、店舗のＰＯＳ装置で充電料を併せて支払う電気自動車用駐車場システムなどが提案されている（下記特許文献１〜３）。
【０００３】
ところで、例えば工場などの事業施設では、大量の電力を使用するため、高圧電力（例えば６，６００［Ｖ］）を受電する高圧契約を電力会社と結ぶ。この高圧契約では、事業者が変圧器を所有しており、電力会社からの受電電力をその変圧器により単相負荷用の電灯電力、三相負荷用の動力電力にそれぞれ変圧して使用するのが一般的である。従って、このような事業施設では、電力会社の契約容量（最大使用電力量に基づく）だけでなく、自己が所有する変圧器の変圧容量を超えないように受電電力の使用量を制限する必要がある。
【０００４】
このような事業施設の駐車場に上記充電設備を備える場合には、上記受電電力の一部を使用することになるため、例えば一度に大量の車両の充電を行うと受電電力の使用量が上記変圧容量などの上限量を超えてしまうおそれがある。しかしながら、従来は、このような問題の解決手段について十分に検討されていない。
【先行技術文献】
【特許文献】
【０００５】
【特許文献１】特開平１１−８６０５８号公報
【特許文献２】特開２００１−３５９２０３号公報
【特許文献３】特開２００８−２６３７１２号公報
【発明の概要】
【発明が解決しようとする課題】
【０００６】
本発明は上記のような事情に基づいて完成されたものであって、その目的は、事業施設の駐車場において、受電電力の使用量が変圧容量を越えることを抑制しつつ、充電用端末による車両の充電を行うことが可能な事業施設用の車両充電システム及び充電制御装置を提供するところにある。
【課題を解決するための手段】
【０００７】
（１）上記の目的を達成するための手段として、第１発明に係る事業施設用の車両充電システムは、電力会社からの受電電力を変圧する変圧器を所有する事業施設の駐車場に駐車された車両を、前記受電電力を使用して充電するための事業施設用の車両充電システムであって、充電用端末と、前記充電用端末と電力供給線によって接続され、前記変圧器から前記充電用端末への電力供給を制御する継電器と、利用者による前記充電用端末の充電開始要求を受け付ける受付部と、前記受電電力の使用量を検出する電力検出部と、前記受電電力の前記使用量に前記充電用端末での充電電力の必要量（充電に必要な電力量）を加えた合算量が、前記変圧器の変圧容量に応じた上限量以下である充電余力有りか否かを判断する余力判断部と、前記充電用端末を除く一般負荷の電力の使用量についての時間経過に伴う変化情報が記憶される記憶部と、前記充電開始要求に基づく充電開始要求時刻において、前記充電余力有りの場合には、前記充電開始要求時刻に前記充電用端末による充電を開始し、且つ、当該充電が完了する時刻を前記変化情報に基づき推定しその充電完了推定時刻に応じた報知動作を行い、前記充電余力無しの場合には前記充電余力有りになるまで前記充電用端末による充電を待機するよう前記継電器を制御する制御部と、を備える。
【０００８】
この発明によれば、充電余力の有無に応じて充電用端末の充電開始時刻を変更することで、変圧器を有する事業施設の駐車場において、電力会社からの受電電力の使用量が変圧器の変圧容量に応じた上限量を越えることを抑制しつつ、充電用端末による車両の充電を行うことができる。また、充電用端末による充電は、一般負荷の電力の使用量変化により中断せざるを得ない場合がある。これに対し、本発明では、変化情報に基づき、充電中断時間を加味した充電完了時刻を推定し、その充電完了推定時刻に応じた報知動作を行う。このため、利用者は、この報知動作により充電完了推定時刻に関する情報を把握することができる。
【０００９】
（２）第２の発明は、第１の発明の事業施設用の車両充電システムであって、前記制御部は、前記充電余力有りの場合に、前記充電用端末による充電を中断し待機させるべき充電中断推定時刻を前記変化情報に基づき推定し、その充電中断推定時刻に前記充電用端末による充電を中断する。
この発明によれば、一般負荷の電力の使用量変化により受電電力が上限量を超えることを予測的に回避することができる。
【００１０】
（３）第３の発明は、第１または第２の発明の事業施設用の車両充電システムであって、前記充電用端末を複数有し、前記受付部は利用者による充電完了要求時刻を前記充電用端末ごとに受付可能とされ、前記制御部は、前記受付部で一の充電用端末に対する充電開始要求が受け付けられ、且つ、前記充電余力無しの場合において、当該一の充電用端末よりも前記充電完了要求時刻が遅い充電中の他の充電用端末が有れば、当該他の充電用端末による充電を待機させて当該一の充電用端末による充電を開始する。
【００１１】
この発明によれば、充電余力が無い場合に、充電完了要求時刻が遅い方の充電用端末による充電を待機させることにより、受電電力の使用量が上限量を越えることを抑制しつつ、複数の充電用端末による充電を円滑に行うことができる。
【００１２】
（４）第４の発明は、第３の発明の事業施設用の車両充電システムであって、前記制御部は、前記一の充電用端末と前記他の充電用端末とで前記充電完了要求時刻が一致する場合において、前記受付部での前記充電開始要求の受付順位が、前記一の充電用端末よりも前記他の充電用端末の方が遅ければ前記他の充電用端末を待機させて前記一の充電用端末による充電を開始する。
【００１３】
この発明によれば、一の充電用端末と他の充電用端末とで充電完了要求時刻が一致する場合でも、受付部での充電開始要求の受付順位が遅い方の充電用端末による充電を待機させることにより、受電電力の使用量が上限量を越えることを抑制しつつ、複数の充電用端末による充電を円滑に行うことができる。
【００１４】
（５）第５の発明は、第１から第４のいずれか一つの発明の事業施設用の充電システムにおいて、前記受付部は、電力料金の割引時間帯内の時刻を前記充電開始要求時刻として指定する充電開始要求を受付可能とされている。
この発明によれば、割引時間帯を利用して車両の充電を行うことができる。
【００１５】
（６）第１から第５のいずれか一つの発明の事業施設用の充電システムにおいて、前記受付部は利用者による充電完了要求時刻を受付可能とされ、前記充電用端末による充電が、前記充電完了要求時刻までに完了しない充電遅延になるか否かを判断する遅延判断部と、前記遅延判断部にて前記充電遅延になると判断された場合に当該充電遅延を利用者に通知する通知部と、を備える。
【００１６】
この発明によれば、ある充電用端末について、例えば充電の待機により、充電要求完了時刻までに充電が完了しない充電遅延が生じた場合には、その旨が利用者に通知されるため、利用者は充電遅延を知ることができる。
【００１７】
（７）第７の発明に係る事業施設用の充電制御装置は、充電用端末と電力供給線によって接続され、事業者が保有する変圧器から前記充電用端末への電力供給を制御する継電器と、利用者による前記充電用端末の充電開始要求を受け付ける受付部と、前記受電電力の使用量に前記充電用端末での充電電力の必要量を加えた合算量が、前記変圧器の上限量以下である充電余力有りか否かを判断する余力判断部と、前記充電用端末以外の一般負荷の電力の使用量についての時間経過に伴う変化情報が記憶される記憶部と、前記充電開始要求に基づく充電開始要求時刻において、前記充電余力有りの場合には、前記充電開始要求時刻に前記充電用端末による充電を開始し、且つ、当該充電が完了する時刻を前記変化情報に基づき推定しその充電完了推定時刻に応じた報知動作を行い、前記充電余力無しの場合には前記充電余力有りになるまで前記充電用端末による充電を待機するよう前記継電器を制御する制御部と、を備える。
【発明の効果】
【００１８】
本発明によれば、事業施設の駐車場において、受電電力の使用量が上限量を越えることを抑制しつつ、充電用端末による車両の充電を行うことが可能である。
【図面の簡単な説明】
【００１９】
【図１】本発明の一実施形態に係る事業施設用車両充電システムの模式図。
【図２】充電ポストの電気的構成を示すブロック図。
【図３】制御装置の電気的構成を示すブロック図。
【図４】充電開始要求設定処理を示すフローチャート。
【図５】充電制御処理を示すフローチャート。
【図６】比較例の具体的な動作の模式図。
【図７】本実施形態の具体的な動作の模式図。
【図８】本実施形態の具体的な動作の模式図。
【図９】本実施形態の具体的な動作の模式図。
【発明を実施するための形態】
【００２０】
本発明の一実施形態を図１ないし図９によって説明する。
（１）事業施設用の車両充電システムの全体構成
図１は、本発明の一実施形態に係る事業施設用の車両充電システム１の模式図である。
車両充電システム１は、工場や事業所などの事業施設の駐車場に駐車された車両（電気自動車（ＥＶ）やプラグインハイブリッド車（ＰＨＶ）など、走行動力源としてバッテリ（例えば二次電池）を有する車両）のバッテリを、受電電力を使用して充電するためのシステムである。事業施設は、変圧器８を施設内に所有しており、この変圧器８により、電力会社の受電電力源１３からの受電電力を電灯電力、動力電力にそれぞれ変圧して使用する。
【００２１】
車両充電システム１は、変流器１０（電力検出部の一例）、負荷平準化装置１１、充電ポスト１２（充電用端末の一例）を備えて構成されている。なお、図１では充電ポスト１２が４台設置されている例が示されている。
変圧器８で変圧された動力電力は、例えば工場内の大型機器、空調設備などの三相負荷に使用される。変圧器８で変圧された電灯電力は、図示しない上位の分電盤により分電され、事業施設の照明などの電灯負荷や負荷平準化装置１１の単相負荷に供給される。以下、充電ポスト１２以外の負荷（三相負荷や電灯負荷など）をまとめて一般負荷という。
【００２２】
各変流器１０は、動力電力の電流値、電灯電力の電流値それぞれに応じた検出信号を負荷平準化装置１１に出力する。
負荷平準化装置１１は、分電盤１４と、分電盤１４を制御する制御装置１５（充電制御装置の一例）とを備えている。
分電盤１４は、上位の分電盤によって分電された電力を更に分電し、各充電ポスト１２に電力供給線１６を介して供給する。分電盤１４内おいて各電力供給線１６上には充電ポスト１２への電力供給を許容／遮断する継電器１７が設けられている。
【００２３】
制御装置１５は、継電器１７のオン／オフを切り替えることにより、各充電ポスト１２への電力供給を制御する。また、制御装置１５は、利用者の通信端末１８（例えば携帯電話やパーソナルコンピュータ）と通信回線を通じて通信する機能を有する。
各充電ポスト１２は、事業施設の駐車場の各駐車位置にそれぞれ設置されており、分電盤１４から供給される電灯電力を使用して車両を充電する。
【００２４】
（２）充電ポストの電気的構成
図２は、充電ポスト１２の電気的構成を示すブロック図である。
充電ポスト１２は、カード読取部２０、コンセント２１、操作部２２、電流計２３、ポスト側通信部２４、これらを制御するＣＰＵ２５を備えて構成されている。
【００２５】
カード読取部２０は、充電ポスト１２の利用が許可されている利用者に配付されている利用者情報カードから利用者情報を読み取る。ＣＰＵ２５は、カード読取部２０により読み取られた利用者情報を制御装置１５に送信する。利用者情報カードとしては、ＩＣチップが埋め込まれたＩＣカードや磁気カードなどを用いることができる。
【００２６】
コンセント２１には、分電盤１４から延びる電力供給線１６が接続されている。コンセント２１は充電ポスト１２の内部に埋め込まれており、車両のバッテリから延びる受電用プラグ（図１参照）が差し込まれる。
操作部２２は、各種の情報を表示するためのＬＣＤ（Liquid Crystal Display）や操作ボタンなどで構成されている。
【００２７】
電流計２３は、電力供給線１６上に設けられており、ＣＰＵ２５は電力供給線１６を流れる電流の電流値を電流計２３により取得して制御装置１５に送信する。
【００２８】
（３）負荷平準化装置の制御装置の電気的構成
図３は、負荷平準化装置１１の制御装置１５の電気的構成を示すブロック図である。制御装置１５は、ＣＰＵ３０（受付部、余力判断部、制御部、遅延判断部、通知部の一例）、ＲＯＭ３１、ＲＡＭ３２、装置側通信部３３（受付部、通知部の一例）、外部記憶装置３４（記憶部の一例）などで構成されている。
【００２９】
ＣＰＵ３０はＲＯＭ３１に記憶されているプログラムを実行することにより負荷平準化装置１１の各部を制御する。ＲＯＭ３１はＣＰＵ３０により実行される各種のプログラムやデータを記憶している。ＲＡＭ３２はＣＰＵ３０が各種の処理を実行するための主記憶装置として用いられる。装置側通信部３３は充電ポスト１２のポスト側通信部２４との間で通信可能に接続されている。外部記憶装置３４は例えば不揮発性メモリで構成され、充電ポスト１２の利用が許可されている利用者の利用者情報などが記憶されている。また、外部記憶装置３４には、一般負荷の電力の使用量についての前日における変化情報が記憶されている。ＣＰＵ３０は、各変流器１０からの検出信号に基づく受電電力（動力電力と電灯電力の合算電力）の総使用量と、電流計２３による電流値に基づく充電ポスト１２の充電電力の使用量とを、１日中サンプリングし、受電電力の使用量サンプルから充電ポスト１２の使用量サンプルを差し引いて、一般負荷の使用量の変化情報を取得する。例えば工場であれば、一般負荷の使用量は、生産ラインの稼動の有無などによって大きく変化する。
【００３０】
（４）充電ポスト側の処理
図４は、充電ポスト１２側で実行される充電開始要求設定処理を示すフローチャートである。充電ポスト１２のＣＰＵ２５は、利用者がカード読取部２０に利用者情報カードを読み取らせると、充電開始要求設定処理を開始する。
【００３１】
Ｓ１０１では、ＣＰＵ２５は利用者情報カードから利用者情報を読み取り、読み取った利用者情報を負荷平準化装置１１に送信する。負荷平準化装置１１は利用者情報を受信すると、受信した利用者情報と外部記憶装置３４に記憶されている利用者情報とが一致すれば、正規の利用者であることを認証する。充電ポスト１２は負荷平準化装置１１により正規の利用者であることが認証された場合はＳ１０２に進み、正規の利用者であることが認証されなかった場合には本充電開始要求設定処理を終了する。
【００３２】
Ｓ１０２では、ＣＰＵ２５は利用者に充電する車両の種類を選択させる。車両の種類には、例えばＥＶやＰＨＶがある。
Ｓ１０３では、ＣＰＵ２５は利用者に充電完了要求時刻を入力させる。充電完了要求時刻は、利用者が、車両の使用予定時刻を考慮して車両の充電を完了させたい時刻である。また、充電完了とは、利用者が希望する充電量まで車両のバッテリが充電されることをいう。
【００３３】
Ｓ１０４では、ＣＰＵ２５は利用者に充電方法を選択させる。充電方法には、「即時充電」や「充電予約」がある。「即時充電」は利用者が即時に車両への充電を希望する場合に選択される。「充電予約」は利用者が、昼間時間帯よりも電力料金が安くなる割引時間帯（深夜時間帯、例えば２３時〜翌朝７時）での充電を優先したい場合に選択される。「充電予約」の選択は、充電開始要求時刻として電力料金の割引時間帯内の時刻を指定する一例である。
【００３４】
Ｓ１０５では、ＣＰＵ２５は利用者により設定された車両の種類、充電完了要求時刻、充電方法、及び充電ポスト１２の識別情報を、充電開始要求として制御装置１５に送信する。
【００３５】
（５）負荷平準化装置側の処理
（５−１）充電開始要求受付処理
負荷平準化装置１１の制御装置１５は、充電ポスト１２から充電開始要求を受信すると、充電開始要求受付処理を実行する。具体的には、制御装置１５は受信した充電開始要求を外部記憶装置３４に記憶するとともに、当該充電開始要求を送信した充電ポスト１２の充電未完了フラグをオンに設定する。以後、当該充電ポスト１２は、充電未完了フラグがオフになるまで次述する充電制御処理の対象となる。
【００３６】
（５−２）充電制御処理
図５は、充電制御処理の流れを示すフローチャートである。本処理は負荷平準化装置１１が起動されると実行される。
事業施設では、自己所有の変圧器８の変圧容量（受電電力の上限量の一例）を超えないように受電電力を使用する必要がある。充電制御処理は、受電電力の使用量が変圧容量を超えないようにしつつ充電ポスト１２による車両の充電を行うための処理である。
【００３７】
Ｓ２０１では、制御装置１５のＣＰＵ３０は充電未完了フラグがオンになっている充電ポスト１２（「充電未完了ポスト」という）を１台ずつ順に選択し、１台選択するごとにＳ２０２に進む。例えば１台目の充電ポスト１２及び２台目の充電ポスト１２だけ充電未完了フラグがオンである場合、ＣＰＵ３０は今回のＳ２０１の処理では１台目の充電ポスト１２を選択し、次回のＳ２０１の処理では２台目の充電ポスト１２を選択し、その後のＳ２０１の処理では再び１台目の充電ポスト１２を選択する。
【００３８】
Ｓ２０２では、ＣＰＵ３０は現在時刻が充電開始要求時刻に達しているか否かを判定する。ここで充電開始要求時刻とは、充電方法として「即時充電」が設定されている場合は充電開始要求を受け付けた時刻をいい、「充電予約」が設定されている場合は割引時間帯の開始時刻をいう。なお、利用者が、上記充電開始要求設定処理にて、即時充電等以外に、充電開始要求時刻を直接入力できるようにしてもよい。ＣＰＵ３０は、現在時刻が充電開始要求時刻に達していなければＳ２０１に戻る。例えば「充電予約」が設定されている場合、割引時間帯の開始時刻に達していなければ充電を開始せずにＳ２０１に戻り、一方、充電開始要求時刻に達していればＳ２０３に進む。なお、後述するように、充電ポスト１２の中には、充電開始要求時刻に充電が開始され、その充電が途中で待機状態になるものがある（Ｓ２０５、Ｓ２１０参照）。Ｓ２０２では、このような待機状態の充電ポスト１２も充電開始要求時刻に達しているものと判断し、Ｓ２０３に進む。
【００３９】
Ｓ２０３では、ＣＰＵ３０は受電電力に充電余力が有るか否かを判定する。ここで充電余力有りとは、変流器１０からの検出信号に基づく受電電力の使用量に、現在選択している充電ポスト１２（以下、「選択充電ポスト１２」ということがある）での充電電力の必要量を加えた合算量が、変圧容量以下であることをいう。ＣＰＵ３０は、充電余力が有る場合は充電開始要求時刻に充電を開始し、且つ、当該充電が完了する時刻を前記変化情報に基づき推定しその推定時刻に応じた報知動作を行い、充電余力が無い場合には充電余力が有る状態になるまで充電を待機するよう継電器１７を制御する。なお、充電ポスト１２の最大充電電流（例えば１２Ａ）と充電電圧（例えばＡＣ２００Ｖ）から、充電ポスト１２での充電電力の必要量（充電に必要な電力量  例えば２．４ｋＶＡ）を決定する。
【００４０】
具体的には、ＣＰＵ３０は、充電余力が有る場合はＳ２０６に進み、選択充電ポスト１２の継電器１７をオンにして充電を開始する。一方、充電余力無しの場合は、ＣＰＵ３０はＳ２０４に進む。
Ｓ２０４では、ＣＰＵ３０は、充電中の充電未完了ポストのうち、選択充電ポスト１２よりも充電完了要求時刻が遅い充電未完了ポストが有るか否かを判定する。ＣＰＵ３０は、無いと判定した場合は選択充電ポスト１２による充電を開始せずに待機し、Ｓ２０１に戻り、有ると判定した場合はＳ２０５に進む。
【００４１】
なお、充電中の充電未完了ポストの充電完了要求時刻と、選択充電ポスト１２の充電開始要求時刻とが一致することもあり得る。このような場合には、ＣＰＵ３０は、充電開始要求の受付順位が、選択充電ポスト１２よりも充電中の充電未完了ポストの方が早い場合はＳ２０１に戻り、遅い場合はＳ２０５に進む。
【００４２】
Ｓ２０５では、ＣＰＵ３０は充電中の充電未完了ポストのうち、最も遅い充電完了要求時刻が設定されている充電未完了ポストの継電器１７をオフにして充電を待機させる。あるいは、選択充電ポスト１２よりも充電開始要求の受付順位が遅い充電中の充電未完了ポストの継電器１７をオフにして充電を待機させる。そして、次のＳ２０６に進む。
【００４３】
Ｓ２０６では、選択充電ポスト１２の継電器１７をオンにして充電を開始し、更に、当該充電が完了する時刻を上記変化情報に基づき推定し、その充電完了推定時刻に応じた報知動作を行う。また、Ｓ２０６で推定した充電中断時刻が到来した充電未完了ポストがあれば、当該充電未完了ポストの充電を中断し待機させる。なお、この後、Ｓ２０３で充電余力が有ると判断したときに、この充電未完了ポストの充電を再開する。
【００４４】
充電完了推定時刻は、選択充電ポストの充電必要時間、及び、変化情報に基づき推定する。充電必要時間は、選択充電ポストによる充電を続行した場合に、その充電が完了するまでに要する時間であり、これは例えば次の方法により推定できる。車両のバッテリに流れる充電電流の電流値は、バッテリへの充電が進むにつれてそれと反比例して少なくなる。このため、バッテリに流れる充電電流の電流値を測定すれば、充電完了までの充電必要時間を推定できる。但し、ＥＶとＰＨＶとでは、それぞれが備えるバッテリの充電特性が互いに異なるため、電流値が同じでも充電必要時間が異なり得る。そこで、ＣＰＵ３０は、上記車両の種類を加味して充電必要時間を推定する。なお、厳密な推定を要しないのであれば、充電電流を測定することなく、予め実験的に求めた車両の最大充電時間（例えばＥＶ：７時間、ＰＨＶ：２時間）や平均充電時間を、充電必要時間としてもよい。
【００４５】
また、ＣＰＵ３０は、変化情報に基づき、選択充電ポストによる充電開始後に、一般負荷の電力の使用量が増加することで当該充電が続行できない充電中断時刻、及び、その充電中断時間を推定する。選択充電ポストによる充電開始後、充電必要時間経過までに充電中断が生じないと判断すれば、充電完了推定時刻を、現在時刻に充電必要時間を加えた時刻とする。一方、充電中断が生じると判断すれば、充電完了推定時刻を、現在時刻に充電必要時間及び充電中断時間を加えた時刻とする。
【００４６】
Ｓ２０７では、ＣＰＵ３０は選択充電ポストによる充電が、充電完了要求時刻までに完了しない充電遅延になるか否かを判断する。充電完了推定時刻が充電完了要求時刻を超えている場合は、充電遅延になると判断する。ＣＰＵ３０は、充電遅延と判断した場合はＳ２０８に進み、充電遅延と判断しなかった場合はＳ２０９に進む。
【００４７】
Ｓ２０８では、ＣＰＵ３０は充電遅延である旨の電子メールを、選択充電ポストに接続された車両の利用者が所持する通信端末１８に送信する。
Ｓ２０９では、ＣＰＵ３０は充電が完了している充電ポスト１２があるか否かを判定する。具体的には、ＣＰＵ３０は各充電ポスト１２について、それぞれの電流計２３から電流値を取得し、電流値が一定値以下まで低下している充電ポスト１２があるか否かを判定する。この一定値は車種がＥＶであるかＰＨＶであるかによって異なる。ＣＰＵ３０は、充電が完了している充電ポスト１２がない場合はＳ２０１に戻り、充電が完了している充電ポスト１２がある場合はＳ２１０に進む。
【００４８】
Ｓ２１０では、ＣＰＵ３０は充電が完了している充電ポスト１２の継電器１７をオフにするとともに、充電完了フラグをオフにする。そして、Ｓ２１２で充電未完了ポストが有るか否か、即ち、充電完了フラグがオンされている充電ポスト１２が有るか否かを判断し、充電未完了ポストが有ればＳ２０１に戻る。一方、充電未完了ポストが無ければ本充電制御処理を終了する。なお、ＣＰＵ３０は、その後、新たに一の充電ポスト１２について充電開始要求がされると、充電制御処理を再開する。
【００４９】
（５−３）充電制御処理による具体的な動作
図６〜図８は、制御装置１５の充電制御処理による具体的な動作を説明するための模式図である。
図６は、制御装置１５による充電制御処理を行わない場合の比較例である。図６では、現在、１台目の充電ポスト１２（他の充電ポストの一例）により車両を充電中であり、受電電力を使用する一般負荷も稼働している。この場合、２台目の充電ポスト１２（一の充電ポストの一例）による充電を充電開始要求時刻通りに行うと、図示するように受電電力の使用量が変圧容量を超えてしまう。すなわち、同図は充電余力無しの状態を示している。
【００５０】
図７は、制御装置１５による充電制御処理を行った場合の例である。２台目の充電ポスト１２（一の充電ポストの一例）の充電開始要求時に充電余力無しであり、且つ、２台目の充電ポスト１２の充電開始要求時刻が１台目の充電ポスト１２（他の充電ポストの一例）の充電開始要求時刻より遅いとする。この場合、充電制御処理の実行により、２台目の充電ポスト１２による充電は、充電余力有りになるまで待機され、その後、１台目の充電ポスト１２による充電が完了して充電余力有りの状態になった後に開始される。２台目の充電ポスト１２による充電を待機することにより、受電電力の使用量が変圧容量を超えてしまうことを避けることができる。その結果として２台目の充電ポスト１２について充電遅延が発生した場合は、利用者にその旨が通知される。
【００５１】
図８は、同じく制御装置１５による充電制御処理を行った場合の例である。２台目の充電ポスト１２（一の充電ポストの一例）の充電開始要求時に充電余力無しであり、且つ、２台目の充電ポスト１２の充電開始要求時刻が１台目の充電ポスト１２（他の充電ポストの一例）の充電開始要求時刻より早いとする。この場合、充電制御処理の実行により、１台目の充電ポスト１２による充電が待機されて２台目の充電ポスト１２による充電が先に行われ、２台目の充電ポスト１２による充電が完了して充電余力有りの状態になった後に、１台目の充電ポスト１２による充電が再開される。その結果として１台目の充電ポスト１２について充電遅延が発生した場合は、利用者にその旨が通知される。
【００５２】
図９は、一般負荷の電力の使用量が増加するときにおいて、制御装置１５による充電制御処理を行った場合の例である。車両の充電を開始した時点では充電余力が有っても、その後に、一般負荷の使用が増えてくる場合もある。例えば就業時間が到来して生産ラインが起動するときや、従業員の昼食後に生産作業が再開されるときなどには、それに伴って一般負荷の電力の使用量が増加する。この場合、車両の充電を続けると、受電電力の使用量が変圧容量を超えてしまうことが予想される。すなわち、充電余力無しに移行するおそれがある。
【００５３】
図９では、２台目の充電ポスト１２（一の充電ポストの一例）の充電中に一般負荷の電力の使用量が増加した場合を示す。この使用量が増加する時刻は、上記Ｓ２０６で充電中断時刻として推定され、当該充電中断時刻が到来したときに２台目の充電ポスト１２の充電が中断される。これにより、受電電力が変圧容量を超えることを回避できる。その後、２台目の充電ポスト１２の充電は、Ｓ２０６で推定した充電中断時間経過後に再開される。
【００５４】
（６）実施形態の効果
以上説明した本発明の一実施形態に係る車両充電システム１によれば、充電余力の有無に応じて充電ポスト１２の充電開始時刻を変更することで、事業施設の駐車場において、自己所有の変圧器８の変圧容量に応じた上限量を越えることを抑制しつつ、充電ポスト１２による車両の充電を行うことができる。また、充電ポスト１２による充電は、一般負荷の電力の使用量変化により中断せざるを得ない場合がある。しかし、本実施形態では、変化情報に基づき、充電中断時間を加味した充電完了時刻を推定し、その充電完了推定時刻に応じた報知動作を行う。このため、利用者は、この報知動作により充電完了推定時刻に関する情報を把握することができる。
【００５５】
また、充電余力有りの場合に、充電ポスト１２による充電を中断し待機させるべき充電中断推定時刻を変化情報に基づき推定し、その充電中断推定時刻に充電ポスト１２による充電を中断する。これにより、一般負荷の電力の使用量変化により受電電力が上限量を超えることを予測的に回避することができる。
【００５６】
更に、車両充電システム１によれば、充電余力が無い場合に、充電完了要求時刻が遅い方の充電ポスト１２による充電を待機させることにより、受電電力の使用量が上限量を越えることを抑制しつつ、複数の充電ポスト１２による充電を円滑に行うことができる。
【００５７】
更に、車両充電システム１によれば、一の充電ポスト１２と他の充電ポスト１２とで充電完了要求時刻が一致する場合でも、受付部での充電開始要求の受付順位が遅い方の充電ポスト１２による充電を待機させることにより、受電電力の使用量が上限量を越えることを抑制しつつ、複数の充電ポスト１２による充電を円滑に行うことができる。
【００５８】
更に、車両充電システム１によれば、割引時間帯を利用して車両の充電を行うことができる。
【００５９】
更に、車両充電システム１によれば、例えば充電ポスト１２以外の負荷に対する使用量の増加により充電余力有りから充電余力無しに移行する場合でも、受電電力の使用量が上限量を越えることを抑制することができる。
【００６０】
更に、車両充電システム１によれば、ある充電ポスト１２について、例えば充電の待機により、充電要求完了時刻までに充電が完了しない充電遅延が生じた場合には、その旨が利用者に通知されるため、利用者は充電遅延を知ることができる。
【００６１】
更に、制御装置１５によれば、充電余力の有無に応じて充電ポスト１２の充電開始時刻を変更することで、事業施設の駐車場において、受電電力の使用量が上限量を越えることを抑制しつつ、充電ポスト１２による車両の充電を行うことができる。
【００６２】
＜他の実施形態＞
本発明は上記記述及び図面によって説明した実施形態に限定されるものではなく、例えば次のような実施形態も本発明の技術的範囲に含まれる。
【００６３】
（１）上記実施形態では継電器１７を分電盤１４に設ける場合を例に説明したが、継電器１７を各充電ポスト１２に設け、負荷平準化装置１１からの指示により各充電ポスト１２が継電器１７のオン／オフを制御するようにしてもよい。
【００６４】
（２）上記実施形態では、前日の一般負荷の電力の使用量の変化情報を利用したが、本発明はこれに限られない。前日に限らず、１週間前の使用量実績や、前年の同一時期（季節）の使用量実績であってもよい。また、実績に限らず、予め定めた、一般負荷の電力の使用予定の変化情報であってもよい。
【００６５】
（３）上記実施形態では、充電完了推定時刻に基づき充電遅延が生ずると判断した場合にその旨を利用者に通知した（図５のＳ２０８）が、本発明はこれに限られない。例えば、充電遅延が生じないと判断した場合でもその旨を利用者に通知してもよい。また、充電遅延の有無にかかわらず、充電完了推定時刻、充電中断時刻及び充電中断時間の少なくともいずれか１つを利用者に通知してもよい。要するに、充電完了推定時刻に応じた報知動作であればよい。
【符号の説明】
【００６６】
１・・・車両充電システム
１０・・・変流器（電力検出部）
１２・・・充電ポスト（充電用端末）
１３・・・受電電力源
１５・・・制御装置（充電制御装置）
１６・・・電力供給線
１７・・・継電器
３０・・・制御装置のＣＰＵ（受付部、余力判断部、制御部、遅延判断部、通知部）
３３・・・装置側通信部（受付部、通知部）
【図１】
2010187452.tif 000003
【図２】
2010187452.tif 000004
【図３】
2010187452.tif 000005
【図４】
2010187452.tif 000006
【図５】
2010187452.tif 000007
【図６】
2010187452.tif 000008
【図７】
2010187452.tif 000009
【図８】
2010187452.tif 000010
【図９】
2010187452.tif 000011